(57)【特許請求の範囲】
【請求項１】
四角形状の底壁（１０，１１０，２１０）と、その周囲に連接する４つの側壁（１２，１４，１６，１８；１１２，１１４，１１６，１１８；２１２，２１４，２１６，２１８）と、相対する第１の対の各側壁（１２，１６；１１２，１１６；２１２，２１６）の各上縁部に夫々連接する１対の上壁構成片（２０ａ，２０ｂ，２０ｃ，２０ｄ；１２０ａ，１２０ｂ，１２０ｃ，１２０ｄ；２２０ａ，２２０ｂ，２２０ｃ，２２０ｄ）とを備えてなり、
各上壁構成片（２０ａ，２０ｂ，２０ｃ，２０ｄ；１２０ａ，１２０ｂ，１２０ｃ，１２０ｄ；２２０ａ，２２０ｂ，２２０ｃ，２２０ｄ）は、上記第１の対の各側壁（１２，１６；１１２，１１６；２１２，２１６）側から底壁中央部方向に下降し瓶首挿入用穴（２２，２４，２６）を有する傾斜壁（２０ａ，２０ｂ；１２０ａ，１２０ｂ；２２０ａ，２２０ｂ）と、該各傾斜壁（２０ａ，２０ｂ；１２０ａ，１２０ｂ；２２０ａ，２２０ｂ）に連接しかつ底壁（１０，１１０，２１０）に対して略垂直に上方に延在すると共に上記傾斜壁（２０ａ，２０ｂ；１２０ａ，１２０ｂ；２２０ａ，２２０ｂ）との間に断面Ｖ字形の指挿入用スペースが形成されるようにした取っ手片（２０ｃ，２０ｄ；１２０ｃ，１２０ｄ；２２０ｃ，２２０ｄ）とを備え、
上記１対の取っ手片（２０ｃ，２０ｄ；１２０ｃ，１２０ｄ；２２０ｃ，２２０ｄ）は、対面した状態で協働して１つの取っ手部（２１，１２１，２２１）をなし、
第２の対の各側壁（１４，１８；１１４，１１８；２１４，２１８）は、係止用閉鎖開口（４２，４４，４６，４８；１４２，１４４；２４２，２４４，２４６，２４８）が形成された係止フラップ（３８ａ，３８ｂ，４０ａ，４０ｂ，４９；１３８ａ，１４０ａ；２４９）を備え、
上記取っ手片（２０ｃ，２０ｄ；１２０ｃ，１２０ｄ；２２０ｃ，２２０ｄ）は、上記係止フラップ（３８ａ，３８ｂ，４０ａ，４０ｂ，４９；１３８ａ，１４０ａ；２４９）の係止用閉鎖開口（４２，４４，４６，４８；１４２，１４４；２４２，２４４，２４６，２４８）内に係止する係止突片（５２，５４；１５２，１５４；２５２，２５４）を備え、かつ、その上縁（２１ａ）が上記側壁（１２，１４，１６，１８）の高さと同一又は該高さよりも低く構成され、
上記第２の対の各側壁（１４，１８；２１４，２１８）は、その上部が夫々内側に折り曲げられてなる２重壁（１４，３０，１８，３２；２１４，２３０，２１８，２３２）として構成され、
上記係止フラップは、上記２重壁（１４，３０，１８，３２；２１４，２３０，２１８，２３２）を切り起こして２重係止フラップ（３８ａ，３８ｂ，４０ａ，４０ｂ；２４９）として構成されたことを特徴とする取っ手付き容器。
【請求項２】
上記傾斜壁（２０ａ，２０ｂ；２２０ａ，２２０ｂ）の一方（２０ｂ，２２０ｂ）に設けられた上記瓶首挿入用穴（２６；２２５，２２６）の数は、傾斜壁（２０ａ，２０ｂ；２２０ａ，２２０ｂ）の他方（２０ａ，２２０ａ）に設けられた瓶首挿入用穴（２２，２４；２２２，２２３，２２４）の数よりも１つ少ないことを特徴とする請求項１記載の取っ手付き容器。
【請求項３】
上記底壁（１０，１１０，２１０）は、隣り合う第１の組の側壁（１２，１４；１１２，１１４；２１２，２１４）に連接し該第１の組の側壁（１２，１４；１１２，１１４；２１２，２１４）を接続する折り罫に対応する第１コーナと該第１コーナに対向する第２コーナとを結ぶ対角線上に第１折り罫が形成された第１底壁構成片（５６ａ，５８ａ；１５６ａ，１５８ａ；２５６ａ，２５８ａ）と、隣り合う第２の組の側壁（１６，１８；１１６，１１８；２１６，２１８）に連接し該第２の組の側壁（１６，１８；１１６，１１８；２１６，２１８）を接続する折り罫に対応する上記第２コーナと上記第１コーナとを結ぶ上記対角線上に第２折り罫が形成された第２底壁構成片（６０ａ，６２ａ；１６０ａ，１６２ａ；２６０ａ，２６２ａ）とからなり、
上記第１，２底壁構成片（５６ａ，５８ａ，６０ａ，６２ａ；１５６ａ，１５８ａ，１６０ａ，１６２ａ；２５６ａ，２５８ａ，２６０ａ，２６２ａ）は、上記第１，２折り罫に対して内側一方向のみに夫々折り曲げ可能に構成されたことを特徴とする請求項１記載の取っ手付き容器。
【請求項４】
上記各第１，２底壁構成片（５６ａ，５８ａ，６０ａ，６２ａ；２５６ａ，２５８ａ，２６０ａ，２６２ａ）は、さらに、該各底壁構成片（５６ａ，５８ａ，６０ａ，６２ａ；２５６ａ，２５８ａ，２６０ａ，２６２ａ）に対して略垂直に内側に突出する仕切り板構成片（５６ｂ，５８ｂ，６０ｂ，６２ｂ；２５６ｂ，２５８ｂ，２６０ｂ，２６２ｂ）を備え、
上記各仕切り板構成片（５６ｂ，５８ｂ，６０ｂ，６２ｂ；２５６ｂ，２５８ｂ，２６０ｂ，２６２ｂ）は、各第１，２底壁構成片（５６ａ，５８ａ，６０ａ，６２ａ；２５６ａ，２５８ａ，２６０ａ，２６２ａ）が上記各第１，２折り罫に対して上記内側に折り曲げられたときに上記各第１，２の組の側壁（１２，１４；１６，１８；２１２，２１４；２１６，２１８）間に収納されるように構成されたことを特徴とする請求項３記載の取っ手付き容器。
【発明の詳細な説明】
【０００１】
【発明の属する技術分野】
本発明は、酒等の飲料を収容する細首瓶等を収納するための容器に関し、特に、持ち運びに便利な取っ手付き容器に関する。
【０００２】
【従来の技術】
従来より、酒等の飲料を収容する細首瓶等を収納するための持ち運びに便利な取っ手付き容器が提供されている。たとえば、実開昭５６−３８０６２号明細書には、垂直方向に延在する板状の取っ手部と、該取っ手部の下端から下方に連接されかつ互いに背中合わせに設けられた１対の収納部とを備え、該収納部の上面に瓶首挿入用開口が設けられ、該容器に細首瓶等を収納したときに取っ手部上縁の高さが収納された細首瓶等の上面の高さよりも高くなるように構成された取っ手付き容器が開示されている。
【０００３】
しかし、この取っ手付き容器は、上記の如く、取っ手部上縁の高さが収納される細首瓶等の上面の高さよりも高く構成されているため、店先等でこの取っ手付き容器を上下方向に互いに積み重ねて陳列できなかったり、集積箱等内にこの取っ手付き容器を上下方向に積み重ねた状態に取りまとめて収納できなかったりする問題を生じている。
【０００４】
この問題点を解決するために、このタイプの取っ手付き容器を取っ手部上縁の高さが上記細首瓶等の上面の高さよりも低く構成した場合、この容器は、上記上下方向の積み重ねが可能にはなるものの、上に載置される取っ手付き容器の下壁面は、その下に位置する取っ手付き容器に収納された細首瓶等の上面で支持されることになるため、つまり、前者の取っ手付き容器に対する後者の取っ手付き容器の支持領域が小さくなるため、容器は、互いに不安定な状態で支持されることになる。
【０００５】
そこで、容器同士を上下方向に積み重ねたとき、容器が互いに安定した状態で支持されるような取っ手付き容器が所望されている。
【０００６】
【発明が解決しようとする課題】
従って、本発明の解決すべき技術的課題は、上に載置される取っ手付き容器に対してその下に位置する取っ手付き容器の支持領域が大きい、持ち運びに便利な取っ手付き容器を提供することである。
【０００７】
【課題を解決するための手段・作用・効果】
上記技術的課題を解決するために、本発明によれば、以下の取っ手付き容器が提供される。
【０００８】
すなわち、この取っ手付き容器は、四角形状の底壁と、その周囲に連接する４つの側壁と、相対する第１の対の各側壁の各上縁部に夫々連接する１対の上壁構成片とを備えてなり、各上壁構成片は、上記第１の対の各側壁側から底壁中央部方向に下降し瓶首挿入用穴を有する傾斜壁と、該各傾斜壁に連接しかつ底壁に対して略垂直に上方に延在すると共に上記傾斜壁との間に断面Ｖ字形の指挿入用スペースが形成されるようにした取っ手片とを備える。そして、上記１対の取っ手片は、対面した状態で協働して１つの取っ手部をなし、第２の対の各側壁は、係止用開口が形成された係止フラップを備え、上記取っ手片は、上記係止フラップの係止用開口内に係止する係止突片を備え、かつ、その上縁が上記側壁の高さと同一又は該高さよりも低く構成される。この構成において、容器内には、上記側壁の高さよりも若干低い瓶が収納される。
【０００９】
この構成によれば、取っ手片は、その上縁が側壁の高さと同一又は該高さよりも低く構成されており、また、容器内には、側壁の高さよりも若干低い瓶が収納され、容器を互いに上下方向に積み重ねたとき、上に載置される容器の底壁面は、その下に位置する容器の側壁の上縁部により支持されることになる。つまり、前記従来式容器と比較して、上に載置される容器に対してその下に位置する容器の支持領域が大きくなり、容器は互いに安定した状態で支持される。
【００１０】
また、上記の如く取っ手部と傾斜壁との間には、指挿入用スペースが設けられており、使用者は、該スペースに指を挿入し取っ手部を把持することにより、容器を自由に持ち運ぶことができる。
【００１１】
上記構成において、上記第２の対の各側壁は、その上部が夫々内側に折り曲げられてなる２重壁として構成され、上記係止フラップは、上記２重壁を切り起こして２重係止フラップとして構成されることが好ましい。
【００１２】
この構成により、取っ手部と容器本体部との係止構造の強度は増大し、従って、容器持ち運び時における振動や衝撃等に対する上記係止構造の耐久性が向上する。  また、上記構成において、傾斜壁の一方には、傾斜壁の他方に設けられた瓶首装入用穴の数よりも１つ少ない瓶首挿入用穴を設けることができる。この瓶首挿入用穴が形成されない傾斜壁の領域は、たとえば、景品等を収納するスペースとして用いられることができる。
【００１３】
また、上記構成において、上記底壁を、隣り合う第１の組の側壁に連接し該組の側壁を接続する折り罫に対応する第１コーナと該第１コーナに対向する第２コーナとを結ぶ対角線上に第１折り罫が形成された第１底壁構成片と、隣り合う第２の組の側壁に連接し該組の側壁を接続する折り罫に対応する上記第２コーナと上記第１コーナとを結ぶ上記対角線上に第２折り罫が形成された第２底壁構成片とから構成し、上記第１，２底壁構成片を、上記第１，２折り罫に対して内側一方向のみに夫々折り曲げ可能に構成することが好ましい。
【００１４】
この構成によれば、上記取っ手片の上記係止突片を上記係止フラップの上記係止用開口から外して上記上壁側を容器本体に対して解放した状態で、上記各第１，２の組の側壁を夫々互いに内側に折り曲げることにより、上記各第１，２底壁構成片は、上記各第１，２折り罫を介して夫々内側に折り畳まれる。すなわち、各第１，２の組の側壁を上記の如く互いに内側に折り曲げることにより、容器全体が折り畳まれ、従って、たとえば、容器未使用時に容器を上記の如く折り畳むことによって、店先等における本容器の収容スペースを節約できる。
【００１５】
また、この構成によれば、上記の如く、第１，２底壁構成片は、第１，２折り罫に対して内側一方向のみに夫々折り曲げ可能に構成されているので、容器内に瓶を収納したときに瓶の重さによる底壁の底抜けは防止される。
【００１６】
この構成において、上記各第１，２底壁構成片は、さらに、該各底壁構成片に対して略垂直に内側に突出する仕切り板構成片を備え、該各仕切り板構成片は、各第１，２底壁構成片が上記各第１，２折り罫に対して上記内側に折り曲げられたときに上記各第１，２の組の側壁間に収納されるように構成されることが好ましい。具体的には、容器組み立て時において、上記各仕切り板構成片は協働して、たとえば、瓶４個用仕切り板、瓶６個用仕切り板等が形成される。
【００１７】
この構成によれば、各仕切り板構成片は、第１，２底壁構成片に対して夫々一体的に形成されており、仕切り板は、容器組み立てと同時に自動的に底壁の内側に設けられることになるため、仕切り板を容器本体とは別体に準備して容器組み立て時に仕切り板を容器内にセットする手間と煩わしさが回避される。
【００１８】
【発明の実施の形態】
以下に、本発明の一実施形態を図１〜１６に従って詳細に説明する。
【００１９】
先ず、本実施形態に係る取っ手付き容器を図１〜７に従って説明する。図１は、この取っ手付き容器のブランクの完全展開図、図２は、該ブランクから組み立てられた容器の全体斜視図、そして図３〜７は、夫々、本容器の部分図である。先ず、この取っ手付き容器の大略全体構成を図１，２に基づいて説明する。
【００２０】
この第１実施形態に係る取っ手付き容器は、細首瓶３本収納用容器として構成されている。すなわち、図において、参照符号１０は四角形状の底壁、１２，１４，１６，１８は夫々該底壁１０の周囲に折り罫ｍ１〜ｍ４を介して連接されると共に折り罫ｍ５〜ｍ７を介して互いに連接された第１〜４側壁、２０は上記底壁１０に対向する四角形状の上壁であって上記第１〜４側壁１２，１４，１６，１８に夫々折り罫ｍ８〜ｍ１１を介して連接された上壁である。
【００２１】
図に示すように、上壁２０は、さらに、第１，３側壁１２，１６に折り罫ｍ８，ｍ１０を介して夫々連接され底壁１０の中央部方向に傾斜する第１，２傾斜片２０ａ．２０ｂと、該各第１，２傾斜片２０ａ，２０ｂに折り罫ｍ１２，ｍ１３を介して連接すると共に底壁１０に対して略垂直に上方に延在する第１，２取っ手片２０ｃ，２０ｄとから形成されている。図に示すように、第１，２傾斜片２０ａ，２０ｂの一方（本実施形態では、第１傾斜片）側には、２つの瓶首装入用穴２２，２４が形成されており、第１，２傾斜片２０ａ，２０ｂの他方（本実施形態では、第２傾斜片）側には、１つの瓶首装入用穴２６が形成されている。上記第１，２取っ手片は、互いに当接した状態で１つの取っ手部２１をなしており、使用者がこの取っ手部２１を把持し易いように、この取っ手部２１は、第１，２取っ手片２０ｃ，２０ｄを共に貫通するように形成された取っ手部開口２８を備えている。また、上壁２０は、取っ手部２１の上縁２１ａが、図６に良く示すように、上記第１〜４側壁１２，１４，１６，１８の高さと同一又は該高さよりも低くなるように構成されている。
【００２２】
また、図１，２に示すように、上記第２，４側壁１４，１８は、上壁側に、折り罫ｍ９，ｍ１１を介して折り曲げフラップ３０，３２が夫々連接しており、第２，４側壁１４，１８と各折り曲げフラップ３０，３２には、各折り曲げフラップ３０，３２が容器の内側に折り曲げられ第２，４側壁１４，１８の内面に折り重ねられた状態で折り曲げフラップ３０，３２と第２，４側壁１４，１８とを共に貫通するような切り罫３４ａ，３４ｂ；３６ａ，３６ｂが形成されている。すなわち、図１に良く示すように、各第２，４側壁１４，１８には、上壁２０側に凸に切り罫３４ｂ，３６ｂが形成されると共に、各切り罫３４ｂ，３６ｂの両端３４ｃ，３４ｄ；３６ｃ，３６ｄを結ぶ折り罫ｍ１４，ｍ１５が形成されている。さらに、各第２，４側壁１４，１８には、切り罫３４ｂ，３６ｂと折り罫ｍ１４，ｍ１５とにより画定された係止フラップ３８ａ，４０ａに該各折り罫ｍ１４，ｍ１５を各一端として折り罫ｍ９，ｍ１１方向に延在する切り欠き４２，４４が設けられている。
【００２３】
上記第２，４側壁１４，１８に連接する上記各折り曲げフラップ３０，３２には、折り罫ｍ９，ｍ１１に関して、第２，４側壁１４，１８に形成された上記切り罫３４ｂ，３６ｂと、上記折り罫ｍ１４，ｍ１５と、上記切り欠き４２，４４とに夫々対称な切り罫３４ａ，３６ａと、折り罫ｍ２４，ｍ２５と、切り欠き４６，４８とが形成されている。この構成により、上記各折り曲げフラップ３０，３２を第２，４側壁１４，１８の内面に対して折り重ねた状態で上記各係止フラップ３８ａ，４０ａを内側に折り曲げると、各折り曲げフラップ３０，３２側に形成された係止フラップ３８ｂ，４０ｂも上記各係止フラップ３８ａ，４０ａと共に内側に折り曲げられて、１対の係止フラップ部４９が形成される。
【００２４】
一方、上記上壁２０の取っ手部２１は、図２に示すように、各第２，４側壁１４，１８側に、上記各係止フラップ部４９が有する上記切り欠き４２，４６；４４，４８内に挿入せしめられて係止する上方に凸に形成された係止突片５２，５４を有している。上記の如く、この取っ手部２１は、上記第１，２取っ手片２０ｃ，２０ｄが互いに突き合った、又は対向した状態で協働して形成されるものであり、該各第１，２取っ手片２０ｃ，２０ｄは、図１に示す如く、第２側壁１４に関して、互いに対称な形状に形成されている。図２は、上記構成の取っ手部２１の各係止突片５２，５４が各係止フラップ４９に係合している状態を示しており、その第４側壁１８側の一方の係止状態を、図５に要部拡大図として示している。
【００２５】
ところで、この取っ手付き容器は、図２に示す如く組み立て状態において、容器の内側に収納される３本の瓶を仕切るための仕切り板が底壁１０と一体的に構成されるようになっている。
【００２６】
すなわち、図１に示す如く、上記底壁１０は、第１〜４側壁１２，１４，１６，１８に夫々折り罫ｍ１〜ｍ４を介して連接する第１〜４底壁構成片５６，５８，６０，６２からなる。この第１，３底壁構成片５６，６０は、図に示す如く、第１，３側壁１２，１６側に設けられた底壁構成部５６ａ，６０ａと、該底壁構成部５６ａ，６０ａに折り罫ｍ１６，ｍ１８を介して夫々連接する仕切り板構成部５６ｂ，６０ｂとからなり、各底壁構成部５６ａ，６０ａは、さらに、底壁基部５６ａ１，６０ａ１と、該各底壁基部５６ａ１，６０ａ１に折り罫ｍ２０，ｍ２１を介して連接する第１接着片５６ａ２，６０ａ２とからなる一方、上記仕切り板構成部５６ｂ，６０ｂは、さらに、仕切り板基部５６ｂ１，６０ｂ１と、該各仕切り板基部５６ｂ１，６０ｂ１に折り罫ｍ２２，ｍ２３を介して連接する第２接着片５６ｂ２，６０ｂ２とからなる。上記折り罫ｍ２０，ｍ２１は、容器組み立て時において、第１，２側壁１２，１４を連接する折り罫ｍ５に対応する底壁１０のコーナと、第３，４側壁１６，１８を連接する折り罫ｍ７に対応する底壁１０のコーナとを結ぶ対角線上に位置するように、上記第１，３底壁構成部５６ａ，６０ａに設けられている。なお、図１において、第１接着片５６ａ２，６０ａ２には、斜線で示す如く接着剤が裏面側に設けられる一方、第２接着片５６ｂ２，６０ｂ２には、斜線で示す如く接着部が表面側に設けられている。
【００２７】
一方、上記第２，４底壁構成片５８，６２は、さらに、第２，４側壁１４，１８側に位置する底壁構成部５８ａ，６２ａと、該各底壁構成部５８ａ，６２ａに折り罫ｍ１７，ｍ１９を介して連接する仕切り板構成部５８ｂ，６２ｂとからなり、上記第１，２接着片５６ａ２，５６ｂ２；６０ａ２，６０ｂ２の接着剤に夫々対応する第１，２被接着部５８ａ２，５８ｂ１；６２ａ２，６２ｂ１（表面側）を図中、一点鎖線で示している。図に示すように、各底壁構成片５８ａ，６２ａは、上記第１被接着部５８ａ２，６２ａ２に対して、上記第１接着片５６ａ２，６０ａ２側に、第１接着部５６ａ２，６０ａ２に対して接着されない底壁基部当接部５８ａ１，６２ａ１が設けられている。
【００２８】
なお、上記第１側壁１２には、図１に示す如く、第２側壁１４の反対側に折り罫ｍ２４を介して接着片１１が連接しており、その表面側に斜線で示す如く接着剤が設けられている。該接着剤に対応する第４側壁１８の被接着部（裏面側）は、図中、一点鎖線で示している。
【００２９】
上記構成の取っ手付き容器は、図１に示したブランクから、以下のようにして組み立てられる。
【００３０】
すなわち、先ず、第１，２側壁１２，１４を折り罫ｍ５を介して（図１に対して裏面側に）略９０°折り曲げた後、第１底壁構成片５６を折り罫ｍ１を介して内側に折り曲げる。
【００３１】
次いで、第１底壁構成片５６の第１接着片５６ａ２を第２底壁構成片５８の第１接着部５８ａ２に接着する。
【００３２】
次いで、第１底壁構成片５６の仕切り板構成部５６ｂを折り罫ｍ１６を介して内側に略９０°折り曲げる。
【００３３】
次いで、上記仕切り板構成部５６ｂの第２接着部５６ｂ２を第２底壁構成片５８の第２被接着部５８ｂ１に接着する。該ステップにおける第１，２底壁構成片５６，５８の接着状態を図３に斜視図として示している。
【００３４】
次いで、第３，４底壁構成片を、上記各ステップと同様のステップに従って、互いに接着する。
【００３５】
次いで、第３底壁構成片６０の底壁基部６０ａ１が、第２底壁構成片５８の底壁構成片５８ａよりも内側になるように重ね合わせると共に、第１底壁構成片５６の底壁基部５６ａ１が、第４底壁構成片６２の底壁基部６２ａ１よりも内側になるように重ね合わせた状態で、第１側壁１２に連接する接着片１１を折り罫ｍ２４を介して内側に折り曲げて、該接着片１１を上記第４側壁６２の非接着部（一点鎖線部分）に接着する。この組み立てステップにおける容器の底壁１０の状態を図４に上面図として示している。
【００３６】
次いで、第２，４側壁１２，１６に折り罫ｍ９，ｍ１１を介して連接する折り曲げフラップ３０，３２を夫々内側に折り曲げる。
【００３７】
次いで、上記第１，２傾斜片２０ａ，２０ｂに形成された瓶挿入穴２２，２４，２６に対応する位置に瓶を３本容器内に収納した後、第１，３側壁１２，１６に連接する第１，２傾斜片２０ａ，２０ｂを、各瓶首が瓶首挿入用穴２２，２４，２６内に挿入されるように、互いに内側に折り曲げると共に、第１，２取っ手片２０ｃ，２０ｄが底壁１０に対して垂直にかつ上方に突出するように相互に突き合わせる。
【００３８】
次いで、第２，４側壁１４，１８側に設けられている上記各係止フラップ４９を内側に折り曲げ、上記第１，２取っ手片２０ｃ，２０ｄが組合わされてなる上記取っ手部２１の両側に構成されている各係止突片５２，５４を、各係止フラップ４９の各切り欠き４２，４６；４４，４８内に挿入して、取っ手部２１を各係止フラップ４９に対してロックするようにする。この組み立てステップにより、容器の組み立ては完了し、消費者等は、取っ手部２１の取っ手部開口２８内に指を挿入して本容器を持ち運ぶことができるようになっている。
【００３９】
ところで、容器内への上記瓶収納ステップにおいて、瓶が容器内に収納されたとき、第１〜４底壁構成片５６，５８，６０，６２の各底壁基部５６ａ１，５８ａ，６０ａ１，６２ａは、夫々、瓶の重量により下方へ押圧されるが、このとき、第２，４底壁構成片５８，６２の上記底壁基部当接部５８ａ１，６２ａ１が第１，３底壁構成片５６，６０の各底壁構成部５６ａ，６０ａの上記各折り罫ｍ２０，ｍ２１を介して第１，３底壁構成片の各底壁基部５６ａ１，６０ａ１により上方に押圧される結果、底壁の底抜けが確実に防止されるようになっている。
【００４０】
しかも、本容器未使用時等において、図７に示す如く、第１，２底壁構成片５６，５８、及び第３，４底壁構成片６０，６２を互いに近接する方向に内側に折り曲げることにより、上記第１，３底壁構成部５６ａ，６０ａは、上記折り罫ｍ２０，ｍ２１を介して内側に折り曲げられ、この折り曲げ動作に伴って、各仕切り板構成部５６ｂ，６０ｂは、上記折り罫ｍ２０，ｍ２１と同一方向に変位せしめられて容器全体が折り畳まれる。
【００４１】
次ぎに、上記実施形態の取っ手付き容器の第１変形例を図８〜１１に従って説明する。
【００４２】
図８は、この第１変形例に係る容器のブランクの完全展開図、図９は、該ブランクを組み立ててなる容器の上部の一部を示す部分斜視図、図１０は、該上部の一部を拡大して示す要部斜視図、そして、図１１は、底壁の半折り畳み状態図である。
【００４３】
この容器は、図に示す如く、上壁の傾斜片に瓶挿入用穴が４つ形成されている点、係止フラップが単壁構成になっている点、及び底壁に仕切り板が形成されていない各点を除いて、上記実施形態の取っ手付き容器と基本構成を同一にする。ここでは、該基本構成に係る説明は省略して、上記実施形態の構成と異なる部分のみについて説明する。
【００４４】
すなわち、この第１変形例の取っ手付き容器は、図８に良く示す如く第２，４側壁１１４，１１６側に折り曲げフラップが省略されており、第１，３側壁１１２，１１８に連接する第１，２傾斜片１２０ａ，１２０ｂには、夫々、２つの瓶首挿入用穴１２２，１２４，１２５，１２６が形成されている。
【００４５】
従って、この構成によれば、容器組み立て時において、第１取っ手片１２０ｃと第２取っ手片１２０ｄとからなる取っ手部１２１の両側に設けられた各係止突片１５２，１５４は、単壁からなる係止フラップ１３８ａ，１４０ａに形成された切り欠き１４２，１４４内に係止せしめられることになる。
【００４６】
一方、この容器の底壁１１０は、仕切り板構成部を有していないが、底壁構成部１５６ａ，１５８ａ，１６０ａ，１６２ａは、夫々、上記第１実施形態のものと類似に構成されているため、図１１に示す如く、第１，２側壁１１２，１１４、及び第３，４側壁１１６，１１８を互いに近接する方向に内側に折り曲げることにより、容器全体を折り畳むことができる。
【００４７】
次に、上記実施形態の取っ手付き容器の第２変形例を図１２〜１６に従って説明する。
【００４８】
図１２は、この第２変形例に係る容器のブランクの完全展開図、図１３は、該ブランクを組み立ててなる容器の上部の一部を示す部分斜視図、図１４は、底壁の組み立て状態図、図１５は、容器組み立て状態における底壁の上面図、そして、図１６は、底壁の反折り畳み状態図である。
【００４９】
この容器は、図に示す如く、上壁の傾斜片に瓶挿入用穴が５つ形成されている点、及び底壁に瓶５個（又は６個）用の仕切り板が形成されている各点を除いて、前記実施形態の取っ手付き容器と基本構成を同一にする。ここでは、該基本構成に係る説明は省略して、前記実施形態の構成と異なる部分のみについて説明する。  すなわち、この第２変形例の取っ手付き容器は、上壁の一部をなす第１傾斜片２２０ａに瓶首挿入用穴が３つ形成される一方、第２傾斜片２２０ｂに瓶首挿入用穴が２つ形成されている。
【００５０】
一方、この容器の第１〜４側壁２１２，２１４，２１６，２１８に対応する底壁構成部２５６ａ，２５８ａ，２６０ａ，２６２ａの各構成は、夫々、前記実施形態のものと基本的に同一であり、一方、上記第１〜４側壁２１２，２１４，２１６，２１８に対応する仕切り板構成部２５６ｂ，２５８ｂ，２６０ｂ，２６２ｂの各構成は、前記実施形態のものと若干異なっている。つまり、図１２に示すように、第１，３底壁構成片２５６，２６０に対応する各仕切り板基部２５６ｂ１，２６０ｂ１は、各底壁基部２５６ａ１，２６０ａ１に対して、反接着部２５６ｂ２，２６０ｂ２方向に突出した状態に形成されると共に、第２，４底壁構成片２５８，２６２に対応する各仕切り板構成部２５８ｂ，２６２ｂには、上記各仕切り板基部２５６ｂ１，２６０ｂ１に対応する仕切り板挿入用穴２５９，２６３が設けられている。第１底壁構成片２５６の第２底壁構成片２５８に対する接着部位、及び第３底壁構成片２６０の第４底壁構成片２６２に対する接着部位は、夫々、前記実施形態と同一であるので、ここではその詳細な説明は省略する。
【００５１】
図１４は、上記第１，２底壁構成片２５６，２５８、及び第３，４底壁構成片２６０，２６２が、夫々、互いに接着された容器の半組み立て状態を示しており、この状態から、第１底壁構成片２５６側の仕切り板基部２５６ｂ１の突出部が第４底壁構成片２６２側の仕切り板構成部２６２ｂに設けられた上記仕切り板基部挿入用穴２６３内に挿入されると共に、第３底壁構成片２６０側の仕切り板基部２６０ｂ１の突出部が第２底壁構成片２５８側の仕切り板構成部２５８ｂに設けられた上記仕切り板基部挿入用穴２５９内に挿入され、容器が組み立てられる。図１５は、このようにして組み立てられた容器の底壁２１０側内面を上面から示している。
【００５２】
上記の如く、この第２変形例の容器の各底壁構成部２５６ａ，２５８ａ，２６０ａ，２６２ａは、前記実施形態と同一基本構成を有しているため、図１６に示すように、第１，２側壁２１２，２１４、及び第３，４側壁２１６，２１８を、夫々、互いに近接する方向に内側に折り曲げることにより、各仕切り板構成部２５６ｂ，２５８ｂ，２６０ｂ，２６２ｂは、上記第１，２側壁２１２，２１４、及び第３，４側壁２１６，２１８の間に収納され、容器全体を折り畳むことができる。
【００５３】
なお、この第２変形例に係る取っ手付き容器においては、上壁の一方の傾斜片２２０ｂは２つの瓶挿入用穴２２５，２２６を有しているが、該傾斜片２２０ｂに、瓶首挿入用穴を３つ設けてもよいことは言うまでもない。
【図面の簡単な説明】
【図１】  本発明の一実施形態に係る取っ手付き容器の完全展開図である。
【図２】  図１の完全展開状態のブランクから組み立てられた取っ手付き容器の全体斜視図である。
【図３】  図２の容器の仕切り板を備えた底壁の半組み立て状態を示す要部拡大図である。
【図４】  図２の容器の上壁側を開口した状態で仕切り板を備えた底壁内面を上壁側から示した図である。
【図５】  図２の容器の取っ手部の片側の係止突片が側壁側に設けられた係止フラップに係止している状態を示した要部斜視図である。
【図６】  図２の容器の取っ手部上縁と側壁上縁との高さ関係を示す部分側面図である。
【図７】  図２の容器の底壁の半折り畳み状態を上壁側から示した図である。
【図８】  第１変形例に係る取っ手付き容器の完全展開図である。
【図９】  図８の完全展開状態におけるブランクから組み立てられた容器の上壁側一部を示す部分斜視図である。
【図１０】  図９の容器の取っ手部の片側の係止突片が側壁側に設けられた係止フラップに係止している状態を示した要部斜視図である。
【図１１】  図９の容器の底壁の半折り畳み状態を上壁側から示した図である。
【図１２】  第２変形例に係る取っ手付き容器の完全展開図である。
【図１３】  図１２の完全展開状態におけるブランクから組み立てられた容器の上壁側一部を示す部分斜視図である。
【図１４】  図１２の容器の仕切り板を備えた底壁の半組み立て状態を示す要部拡大図である。
【図１５】  図１３の容器の上壁側を開口した状態で仕切り板を備えた底壁内面を上壁側から示した図である。
【図１６】  図１３の容器の底壁の半折り畳み状態を上壁側から示した図である。
【符号の説明】
１０  底壁
１１  接着片
１２  第１側壁
１４  第２側壁
１６  第３側壁
１８  第４側壁
２０  上壁
２０ａ  第１傾斜片
２０ｂ  第２傾斜片
２０ｃ  第１取っ手片
２０ｄ  第２取っ手片
２１  取っ手部
２１ａ  上縁
２２，２４，２６  瓶首挿入用穴
２８  取っ手部開口
３０，３２  折り曲げフラップ
３４ａ，３４ｂ  切り罫
３６ａ，３６ｂ  切り罫
３８ａ，３８ｂ  係止フラップ
４０ａ，４０ｂ  係止フラップ
４６，４８  切り欠き
４９  係止フラップ
５２，５４  係止突片
５６  第１底壁構成片
５６ａ  底壁構成部
５６ａ１  底壁基部
５６ａ２  第１接着片
５６ｂ  仕切り板構成部
５６ｂ１  仕切り板基部
５６ｂ２  第２接着片
５８  第２底壁構成片
５８ａ  底壁構成部
５８ａ１  底壁基部当接部
５８ａ２  第１被接着部
５８ｂ  仕切り板構成部
５８ｂ１  第２被接着部
６０  第３底壁構成片
６０ａ  底壁構成部
６０ａ１  底壁基部
６０ａ２  第１接着片
６０ｂ  仕切り板構成部
６０ｂ１  仕切り板基部
６０ｂ２  第２接着片
６２  第４底壁構成片
６２ａ  底壁構成部
６２ａ１  底壁基部当接部
６２ａ２  第１被接着部
６２ｂ  仕切り板構成部
６２ｂ１  第２被接着部
１１０  底壁
１１２  第１側壁
１１４  第２側壁
１１６  第３側壁
１１８  第４側壁
１２０ａ  第１傾斜片
１２０ｂ  第２傾斜片
１２０ｃ  第１取っ手片
１２０ｄ  第２取っ手片
１２１  取っ手部
１２２，１２４〜１２６  瓶首挿入用穴
１３８ａ，１４０ａ  係止フラップ
１４２，１４４  切り欠き
１５２，１５４  係止突片
１５６ａ，１５８ａ，１６０ａ，１６２ａ  底壁構成部
２１０  底壁
２１２  第１側壁
２１４  第２側壁
２１６  第３側壁
２１８  第４側壁
２２０ａ  第１傾斜片
２２０ｂ  第２傾斜片
２２０ｃ  第１取っ手片
２２０ｄ  第２取っ手片
２２１  取っ手部
２２２〜２２６  瓶首挿入用穴
２３０，２３２  折り曲げフラップ
２３４ａ，２３４ｂ  切り罫
２３４ｃ，２３４ｄ  端縁
２３６ａ，２３６ｂ  切り罫
２３６ｃ，２３６ｄ  端縁
２４２，２４４，２４６，２４８  切り欠き
２４９  係止フラップ
２５２，２５４  係止突片
２５６  第１底壁構成片
２５６ａ  底壁構成部
２５６ａ１  底壁基部
２５６ａ２  第１接着片
２５６ｂ  仕切り板構成部
２５６ｂ１  仕切り板基部
２５６ｂ２  第２接着片
２５８  第２底壁構成片
２５８ａ  底壁構成部
２５８ｂ  仕切り板構成部
２５９  仕切り板基部挿入用穴
２６０  第３底壁構成片
２６０ａ  底壁構成部
２６０ａ１  底壁基部
２６０ａ２  第１接着片
２６０ｂ  仕切り板構成部
２６０ｂ１  仕切り板基部
２６０ｂ２  第２接着片
２６２  第４底壁構成片
２６２ａ  底壁構成部
２６２ｂ  仕切り板構成部
２６３  仕切り板基部挿入用穴
ｍ１〜ｍ２５，ｍ２１４，ｍ２１５  折り罫
ｍ２２４，ｍ２２５  折り罫
【図１】
0003792280.tif 000002
【図２】
0003792280.tif 000003
【図３】
0003792280.tif 000004
【図４】
0003792280.tif 000005
【図５】
0003792280.tif 000006
【図６】
0003792280.tif 000007
【図７】
0003792280.tif 000008
【図８】
0003792280.tif 000009
【図９】
0003792280.tif 000010
【図１０】
0003792280.tif 000011
【図１１】
0003792280.tif 000012
【図１２】
0003792280.tif 000013
【図１３】
0003792280.tif 000014
【図１４】
0003792280.tif 000015
【図１５】
0003792280.tif 000016
【図１６】
0003792280.tif 000017